(57)【要約】【課題】  デジタルテレビ放送から取得した施設や地理的位置に関するデータを、携帯電話を介して容易にナビゲーション装置に提供するナビゲーションシステム、ナビゲーション装置、および、携帯電話を提供すること。【解決手段】    ＴＶ受信機１２で地上波デジタル放送を視聴しているとき、データ保存が選択されるとデータ放送のデータをいったんＴＶ受信機１２のメモリ５８へ格納する。その後、ＴＶ受信機１２から携帯電話２へデータが転送され、携帯電話２のデータ格納部２２へデータが格納される。ナビゲーション装置３では、目的地設定にあたり「外部データ取り込み」が選択されると、携帯電話２へアクセスに行き、携帯電話２に格納されたデータを取り込む。ナビゲーション装置３は、携帯電話２から取り込んだデータを目的地設定に利用し、経路探索を行う。【選択図】        図１
2006153731.tif 000002
【特許請求の範囲】
【請求項１】
ナビゲーションシステムであって、
デジタルによるテレビ放送を受信するテレビ放送受信手段と、
前記テレビ放送受信手段により受信したテレビ放送から取得した施設あるいは地理的位置に関するデータを格納するデータ格納手段と、
携帯電話網と接続してデータ通信を行う第１の通信手段と、外部機器と接続してデータ通信を行う第２の通信手段とを有する携帯電話と、
地図データに基づきナビゲーションの処理を行うナビゲーション装置とを備え、
前記携帯電話は、前記データ格納手段から前記施設あるいは地理的位置に関するデータを取得して格納する携帯電話内データ格納手段を有し、
前記ナビゲーション装置は、前記携帯電話の第２の通信手段を通じて前記携帯電話内データ格納手段から前記施設あるいは地理的位置に関するデータを取得し、前記取得した施設あるいは地理的位置に関するデータを前記ナビゲーションの処理に使用することを特徴とするナビゲーションシステム。
【請求項２】
請求項１に記載のナビゲーションシステムにおいて、
前記携帯電話は、前記第２の通信手段を通じて、前記データ格納手段から前記施設あるいは地理的位置に関するデータを取得することを特徴とするナビゲーションシステム。
【請求項３】
請求項１に記載のナビゲーションシステムにおいて、
前記テレビ放送受信手段と前記データ格納手段は、ローカルなネットワーク手段で接続され、
前記ローカルなネットワーク手段に接続する他の電子装置手段をさらに備え、
前記テレビ放送受信手段と前記データ格納手段と前記他の電子装置手段のうち、少なくとも複数の手段は、前記携帯電話の前記第２の通信手段と接続する第３の通信手段を有し、
前記携帯電話は、前記第２の通信手段および前記いずれかの第３の通信手段を通じて、前記データ格納手段から前記施設あるいは地理的位置に関するデータを取得することを特徴とするナビゲーションシステム。
【請求項４】
ナビゲーションシステムであって、
デジタルによるテレビ放送を受信するテレビ放送受信手段と、
前記テレビ放送受信手段により受信したテレビ放送から取得した施設あるいは地理的位置に関するデータを格納するデータ格納手段と、
携帯電話網と接続してデータ通信を行う第１の通信手段と、外部機器と接続してデータ通信を行う第２の通信手段とを有する携帯電話と、
地図データに基づきナビゲーションの処理を行うナビゲーション装置とを備え、
前記テレビ放送受信手段と前記データ格納手段は、専用接続手段あるいはローカルなネットワーク手段で接続され、
前記ナビゲーション装置は、前記携帯電話の第２の通信手段から第１の通信手段を通じて前記データ格納手段と接続し、前記接続したデータ格納手段から前記施設あるいは地理的位置に関するデータを取得し、前記取得した施設あるいは地理的位置に関するデータを前記ナビゲーションの処理に使用することを特徴とするナビゲーションシステム。
【請求項５】
請求項４に記載のナビゲーションシステムにおいて、
前記ナビゲーション装置は、前記施設あるいは地理的位置に関するデータのインデックスを使用して、前記データ格納手段から前記施設あるいは地理的位置に関するデータを取得することを特徴とするナビゲーションシステム。
【請求項６】
請求項４に記載のナビゲーションシステムにおいて、
前記ナビゲーション装置は、
前記施設あるいは地理的位置に関するデータのインデックスの一覧を表示するインデックス一覧表示手段と、
前記インデックスの一覧の中から所望の施設あるいは地理的位置に関するデータのインデックスを選択するインデックス選択手段と、
前記選択されたインデックスに関する情報を前記データ格納手段へ送信する送信するインデックス送信手段とを有し、
前記データ格納手段は、前記施設あるいは地理的位置に関するデータを、それぞれのインデックスに関連付けて格納し、前記ナビゲーション装置から送信されてきたインデックスに対応する前記施設あるいは地理的位置に関するデータを前記ナビゲーション装置へ送信することを特徴とするナビゲーションシステム。
【請求項７】
請求項６に記載のナビゲーションシステムにおいて、
前記ナビゲーション装置の前記インデックス一覧表示手段は、前記データ格納手段から前記インデックスの一覧に関する情報を取得して表示し、
前記ナビゲーション装置は、最新の前記インデックス一覧に関する情報を取得するために操作される一覧取得操作手段をさらに有することを特徴とするナビゲーションシステム。
【請求項８】
請求項４に記載のナビゲーションシステムにおいて、
前記携帯電話は、前記施設あるいは地理的位置に関するデータのインデックスを使用して、前記データ格納手段から前記施設あるいは地理的位置に関するデータを取得し、前記ナビゲーション装置へ送信することを特徴とするナビゲーションシステム。
【請求項９】
請求項４に記載のナビゲーションシステムにおいて、
前記携帯電話は、
前記施設あるいは地理的位置に関するデータのインデックスの一覧を表示するインデックス一覧表示手段と、
前記インデックスの一覧の中から所望の施設あるいは地理的位置に関するデータのインデックスを選択するインデックス選択手段と、
前記選択されたインデックスに関する情報を前記データ格納手段へ送信する送信するインデックス送信手段とを有し、
前記データ格納手段は、前記施設あるいは地理的位置に関するデータを、それぞれのインデックスに関連付けて格納し、前記携帯電話から送信されてきたインデックスに対応する前記施設あるいは地理的位置に関するデータを前記携帯電話へ送信し、
前記携帯電話は、前記送信されてきた施設あるいは地理的位置に関するデータを前記ナビゲーション装置へ送信することを特徴とするナビゲーションシステム。
【請求項１０】
請求項９に記載のナビゲーションシステムにおいて、
前記携帯電話の前記インデックス一覧表示手段は、前記データ格納手段から前記インデックスの一覧に関する情報を取得して表示し、
前記携帯電話は、最新の前記インデックス一覧に関する情報を取得するために操作される一覧取得操作手段をさらに有することを特徴とするナビゲーションシステム。
【請求項１１】
請求項１から１０のいずれかに記載のナビゲーションシステムにおいて、
前記ナビゲーション装置は、前記取得した施設あるいは地理的位置に関するデータを経路探索の目的地の設定に利用することを特徴とするナビゲーションシステム。
【請求項１２】
請求項１から１１のいずれかに記載のナビゲーションシステムを構成するナビゲーション装置。
【請求項１３】
請求項１から１１のいずれかに記載のナビゲーションシステムを構成する携帯電話。
【発明の詳細な説明】
【技術分野】
【０００１】
本発明は、ナビゲーションシステム、ナビゲーション装置、および、携帯電話に関する。
【背景技術】
【０００２】
従来、テレビ端末で受信した旅行先情報をメモリカードにダウンロードし、利用者がドライブに行く時に、車載情報端末がメモリカードから旅行先情報を取得し、旅行先情報に含まれる旅行先位置情報を用いて経路設定をする技術が知られている（特許文献１参照）。また、この特許文献１は、メモリカードの代わりに、テレビ端末で受信した旅行先情報を携帯電話を使用してインターネット上の情報蓄積部にダウンロードすることも開示する。
【０００３】
【特許文献１】特開２００２−２２１４２４号公報
【発明の開示】
【発明が解決しようとする課題】
【０００４】
しかし、メモリカードを利用する場合、それぞれの端末においてメモリカードの取り付けや取り外しが必要となり、操作が煩わしいという問題が生じる。また、メモリカードを携帯する場合、取り扱いに注意を要するという問題も生じる。一方、携帯電話を利用する場合には、旅行先情報を取得して格納しようとするたびに、携帯電話を使用してインターネット上の情報蓄積部に接続しなければいけないという問題が生じる。
【０００５】
本発明は、デジタルテレビ放送から取得した施設や地理的位置に関するデータを、携帯電話を介して容易にナビゲーション装置に提供するナビゲーションシステム、ナビゲーション装置、および、携帯電話を提供する。
【課題を解決するための手段】
【０００６】
請求項１の発明は、ナビゲーションシステムに適用され、デジタルによるテレビ放送を受信するテレビ放送受信手段と、テレビ放送受信手段により受信したテレビ放送から取得した施設あるいは地理的位置に関するデータを格納するデータ格納手段と、携帯電話網と接続してデータ通信を行う第１の通信手段と、外部機器と接続してデータ通信を行う第２の通信手段とを有する携帯電話と、地図データに基づきナビゲーションの処理を行うナビゲーション装置とを備え、携帯電話は、データ格納手段から施設あるいは地理的位置に関するデータを取得して格納する携帯電話内データ格納手段を有し、ナビゲーション装置は、携帯電話の第２の通信手段を通じて携帯電話内データ格納手段から施設あるいは地理的位置に関するデータを取得し、取得した施設あるいは地理的位置に関するデータをナビゲーションの処理に使用することを特徴とするものである。
請求項２の発明は、請求項１に記載のナビゲーションシステムにおいて、携帯電話は、第２の通信手段を通じて、データ格納手段から施設あるいは地理的位置に関するデータを取得することを特徴とするものである。
請求項３の発明は、請求項１に記載のナビゲーションシステムにおいて、テレビ放送受信手段とデータ格納手段は、ローカルなネットワーク手段で接続され、ローカルなネットワーク手段に接続する他の電子装置手段をさらに備え、テレビ放送受信手段とデータ格納手段と他の電子装置手段のうち、少なくとも複数の手段は、携帯電話の第２の通信手段と接続する第３の通信手段を有し、携帯電話は、第２の通信手段およびいずれかの第３の通信手段を通じて、データ格納手段から施設あるいは地理的位置に関するデータを取得することを特徴とするものである。
請求項４の発明は、ナビゲーションシステムに適用され、デジタルによるテレビ放送を受信するテレビ放送受信手段と、テレビ放送受信手段により受信したテレビ放送から取得した施設あるいは地理的位置に関するデータを格納するデータ格納手段と、携帯電話網と接続してデータ通信を行う第１の通信手段と、外部機器と接続してデータ通信を行う第２の通信手段とを有する携帯電話と、地図データに基づきナビゲーションの処理を行うナビゲーション装置とを備え、テレビ放送受信手段とデータ格納手段は、専用接続手段あるいはローカルなネットワーク手段で接続され、ナビゲーション装置は、携帯電話の第２の通信手段から第１の通信手段を通じてデータ格納手段と接続し、接続したデータ格納手段から施設あるいは地理的位置に関するデータを取得し、取得した施設あるいは地理的位置に関するデータをナビゲーションの処理に使用することを特徴とするものである。
請求項５の発明は、請求項４に記載のナビゲーションシステムにおいて、ナビゲーション装置は、施設あるいは地理的位置に関するデータのインデックスを使用して、データ格納手段から施設あるいは地理的位置に関するデータを取得することを特徴とするものである。
請求項６の発明は、請求項４に記載のナビゲーションシステムにおいて、ナビゲーション装置は、施設あるいは地理的位置に関するデータのインデックスの一覧を表示するインデックス一覧表示手段と、インデックスの一覧の中から所望の施設あるいは地理的位置に関するデータのインデックスを選択するインデックス選択手段と、選択されたインデックスに関する情報をデータ格納手段へ送信する送信するインデックス送信手段とを有し、データ格納手段は、施設あるいは地理的位置に関するデータを、それぞれのインデックスに関連付けて格納し、ナビゲーション装置から送信されてきたインデックスに対応する施設あるいは地理的位置に関するデータをナビゲーション装置へ送信することを特徴とするものである。
請求項７の発明は、請求項６に記載のナビゲーションシステムにおいて、ナビゲーション装置のインデックス一覧表示手段は、データ格納手段からインデックスの一覧に関する情報を取得して表示し、ナビゲーション装置は、最新のインデックス一覧に関する情報を取得するために操作される一覧取得操作手段をさらに有することを特徴とするものである。
請求項８の発明は、請求項４に記載のナビゲーションシステムにおいて、携帯電話は、施設あるいは地理的位置に関するデータのインデックスを使用して、データ格納手段から施設あるいは地理的位置に関するデータを取得し、ナビゲーション装置へ送信することを特徴とするものである。
請求項９の発明は、請求項４に記載のナビゲーションシステムにおいて、携帯電話は、施設あるいは地理的位置に関するデータのインデックスの一覧を表示するインデックス一覧表示手段と、インデックスの一覧の中から所望の施設あるいは地理的位置に関するデータのインデックスを選択するインデックス選択手段と、選択されたインデックスに関する情報をデータ格納手段へ送信する送信するインデックス送信手段とを有し、データ格納手段は、施設あるいは地理的位置に関するデータを、それぞれのインデックスに関連付けて格納し、携帯電話から送信されてきたインデックスに対応する施設あるいは地理的位置に関するデータを携帯電話へ送信し、携帯電話は、送信されてきた施設あるいは地理的位置に関するデータをナビゲーション装置へ送信することを特徴とするものである。
請求項１０の発明は、請求項９に記載のナビゲーションシステムにおいて、携帯電話のインデックス一覧表示手段は、データ格納手段からインデックスの一覧に関する情報を取得して表示し、携帯電話は、最新のインデックス一覧に関する情報を取得するために操作される一覧取得操作手段をさらに有することを特徴とするものである。
請求項１１の発明は、請求項１から１０のいずれかに記載のナビゲーションシステムにおいて、ナビゲーション装置は、取得した施設あるいは地理的位置に関するデータを経路探索の目的地の設定に利用することを特徴とするものである。
請求項１２の発明は、ナビゲーション装置に適用され、請求項１から１１のいずれかに記載のナビゲーションシステムを構成するナビゲーション装置とするものである。
請求項１３の発明は、携帯電話に適用され、請求項１から１１のいずれかに記載のナビゲーションシステムを構成する携帯電話とするものである。
【発明の効果】
【０００７】
本発明は、以上説明したように構成しているので、デジタルテレビ放送から取得した施設や地理的位置に関するデータを、携帯電話を介して容易にナビゲーション装置に提供することができる。
【発明を実施するための最良の形態】
【０００８】
図１は、本実施の形態のナビゲーションシステムの構成を示す図である。本実施の形態のナビゲーションシステムは、ホームネットワーク１と、携帯電話２と、車両に搭載されるナビゲーション装置３とからなる。
【０００９】
ホームネットワーク１は、ホームサーバ１１、ＴＶ受信機１２、固定電話１３、インターホン１４、その他の各種家庭内電子装置１５（家庭内情報機器）が接続される。ホームネットワーク１は、所定のネットワーク規格により家庭内で構築されるローカルなネットワークである。ホームサーバ１１は、例えば、パーソナルコンピュータで構成される。ＴＶ受信機１２は、地上波デジタル放送を受信するＴＶ受信機である。固定電話１３は、家庭内に固定的に設置され、公衆電話回線に有線で接続される。固定電話１３は、図１の例では、ネットワークを介してホームサーバ１１と接続しているが、モデムを介して直接ホームサーバ１１に接続するものでもよい。
【００１０】
ホームネットワーク１は、ホームサーバ１１を中心に、各種の構成要素間でデータのやりとりを行うことができる。例えば、外出先から固定電話１３に電話をし、ホームサーバ１１を介して各種の装置の制御を行うことができる。
【００１１】
本実施の形態のナビゲーションシステムでは、このようなホームネットワーク１を利用し、ＴＶ受信機１２で受信した旅番組などの放送から、観光地やホテルなどの施設に関する情報を取得して、ＴＶ受信機１２の内部メモリあるいはホームサーバ１１にデータとして蓄える。そして、ＴＶ受信機１２あるいはホームサーバ１１に蓄えられたそれらのデータを、携帯電話２を利用して、ナビゲーション装置３に提供する。ナビゲーション装置３では、携帯電話２を介して提供されたＴＶ受信機１２で取得した情報を各種のナビゲーション処理に利用する。
【００１２】
図２は、本実施の形態のナビゲーション装置３の構成を示す図である。ナビゲーション装置３は、車両に搭載されるカーナビゲーション装置であり、車両の走行に関する情報を提示する機能、具体的には、車両位置周辺の道路地図を表示する機能、出発地から目的地までの推奨経路を演算する機能、演算された推奨経路に基づいて経路誘導を行う機能などを兼ね備えている。いわゆるナビゲーションあるいは道路案内などの処理を行う装置である。
【００１３】
符号３１は車両の現在地を検出する現在地検出装置であり、例えば車両の進行方位を検出するジャイロ３１ａ、ＧＰＳ（Global Positioning System）衛星からのＧＰＳ信号を検出するＧＰＳセンサ３１ｂ、車速を検出する車速センサ３１ｃ等から成る。符号３２は道路地図データや検索データを格納する地図記憶装置であり、道路地図データや検索データが格納された記録媒体であるＣＤ−ＲＯＭ３６およびその読み出し装置から成る。記録媒体はＣＤ−ＲＯＭに限定されず、ＤＶＤやその他の記録媒体であってもよい。また、地図記憶装置３２は道路地図データが格納されたハードディスク装置であってもよい。
【００１４】
道路地図データは、地図に関する情報であり、地図表示用データ、経路探索用データ、誘導データ（交差点名称・道路名称・方面名称・方向ガイド施設情報など）などからなる。地図表示用データは道路や道路地図の背景を表示するためのデータである。経路探索用データは、道路形状とは直接関係しない分岐情報などから成るデータであり、主に推奨経路を演算（経路探索）する際に用いられる。誘導データは、交差点の名称などから成るデータであり、演算された推奨経路に基づき運転者等に推奨経路を誘導する際に用いられる。
【００１５】
検索データは、所望の地点を地図上で指示するために使用されるデータではなく、検索して求めるときに使用されるデータである。例えば、経路探索の目的地を設定するときに、施設の名称や電話番号や住所などを入力することにより、その施設の位置を検索データを使用して求める。ナビ制御装置３３は、検索データを使用して求めた地点を例えば目的地として設定し、経路探索などの処理を行う。
【００１６】
検索データは、種別として、名称検索データ、電話番号検索データ、住所検索データなどがある。名称検索データは、施設名称により地図上の位置を特定するために使用されるデータである。電話番号検索データは、電話番号により地図上の位置を特定するために使用されるデータである。住所検索データは、住所により地図上の位置を特定するために使用されるデータである。
【００１７】
符号３３はナビゲーション装置全体を制御するナビ制御装置であり、マイクロプロセッサおよびその周辺回路から成る。ナビ制御装置３３は、制御プログラムを格納するＲＯＭ（不図示）および作業エリアのＲＡＭ（不図示）を有し、ＲＯＭに格納された制御プログラムを実行し、各種の制御を行う。
【００１８】
符号３４は車両の目的地等を入力する各種スイッチを有する入力装置である。カーソルの移動や画面のスクロールを指示するジョイスティックを含む。なお、入力装置３４をリモコン方式としてもよい。また、画面内にタッチパネルスイッチを設けてもよい。さらに、ディスプレイ３５の表示画面周辺に配置されるスイッチであってもよい。これらのスイッチは、ユーザにより操作されるので、入力装置３４は操作装置である。
【００１９】
符号３５は地図や各種情報を表示するディスプレイであり、液晶表示装置（ＬＣＤ）などで構成される。ナビ制御装置３３は、生成した画像データを画像メモリ（ビデオＲＡＭ、不図示）に格納し、ディスプレイ３５に表示する。ディスプレイ３５に表示される表示データは、各種の文字データや道路地図などの各種の図形データなどからなる。ナビ制御装置３３は、ディスプレイ３５の表示制御装置として機能する。符号３７は、携帯電話などの外部機器と有線で接続する通信装置である。
【００２０】
このように構成されるナビゲーション装置３は、現在地検出装置３１により取得した自車位置情報および地図記憶装置３２に格納されている道路地図データに基づき各種のナビゲーション処理を行う。例えば、自車位置近辺の道路地図および自車位置をディスプレイ３５に表示し、経路探索によって得られた経路に沿ってドライバーを誘導する。
【００２１】
図３は、本実施の形態の携帯電話２の構成を示す図である。携帯電話２は、制御部２１、データ格納部２２、表示部２３、入力部２４、基地局通信部２５、外部機器通信部２６、赤外線通信部２７などからなる。制御部２１は、マイクロプロセッサおよびその周辺回路からなり、不図示のメモリに格納されたプログラムを実行することにより、携帯電話２の電話機能やデータ通信機能などの基本機能の制御を行う。また、ＪＡＶＡ（登録商標）などの言語でかかれたアプリケーションプログラムなども実行する。
【００２２】
データ格納部２２は、電話帳やメールなどの各種のデータを記憶する書き換え可能な不揮発性メモリである。また、後述するように、ＴＶ受信機１２により取得した観光地やホテルなどの施設に関する情報を格納したり、そのインデックスを格納したりもする。データ格納部２２は、例えばフラッシュメモリなどで構成される。表示部２３は、各種の情報を表示する液晶表示装置である。入力部２４は、ダイヤルボタンや各種のキーからなり、ユーザにより操作される。
【００２３】
基地局通信部２５は、無線により基地局を介して携帯電話回線網と接続し、電話やデータ通信などのデータの送受信を行う。外部機器通信部２６は、所定の規格により外部機器と有線で接続してデータの送受信を行う。赤外線通信部２７は、外部機器と赤外線によるデータの送受信、すなわち所定の規格の赤外線通信（ＩｒＤＡ）を行う。
【００２４】
図４は、ホームネットワーク１のホームサーバ１１の構成を示す図である。ホームサーバ１１は、パーソナルコンピュータからなり、ＣＰＵ４１、ハードディスク４２、ディスプレイ４３、キーボード４４、ＬＡＮ通信部４５、赤外線通信装置４６などから構成される。ＯＳプログラムおよび種々のアプリケーションプログラムを実行する。
【００２５】
図５は、ホームネットワーク１のＴＶ受信機１２の構成を示す図である。ＴＶ受信機１２は、制御部５１、チューナ５２、ディスプレイ５３、スピーカ５４、ＬＡＮ通信部５５、赤外線通信装置５６、リモコン５７、メモリ５８などから構成される。このように構成されるＴＶ受信機１２は、リモコン５７で指定されたチャンネルの地上波デジタル放送をアンテナ５８を介して受信し、ディスプレイ５３やスピーカ５４に受信した放送を出力する。
【００２６】
地上波デジタル放送は、地上波のＵＨＦ帯を使用してデジタルデータにより提供する放送である。地上波デジタル放送は、テレビ放送およびデータ放送などを提供する。地上波デジタル放送のテレビ放送は、従来のＶＨＦ帯を使用してアナログ信号により提供されていたテレビ放送に代わるものである。
【００２７】
一方、地上波デジタル放送のデータ放送は、天気、ニュース、生活情報等の各種の情報を提供する。メニュー画面上で見たい情報を選択することにより、各種の情報の提供をいつでも受けることができる。これは、独立型データ放送とも言う。また、データ放送は、現在放送中のテレビ放送の番組に関連する情報も提供する。例えば、料理番組を放送しながら、そのレシピを表示したり、旅番組を放送しながら、その観光地や宿泊施設の情報を表示したりする。これを、番組連動型（番組関連）データ放送とも言う。
【００２８】
本実施の形態では、この番組連動型データ放送で放送されるデータを取得して、ナビゲーション装置３に利用するものである。例えば、旅番組を視聴していて、そこに車で旅行したいと思ったとき、ＴＶ受信機１２のリモコン５７のデータ保存ボタンを押す。データ保存ボタンが押されると、データ放送で提供されるデータをＴＶ受信機１２に、あるいは、ＴＶ受信機１２からホームサーバ１１に送信して格納する。ＴＶ受信機１２あるいはホームサーバ１１に格納したデータを、旅行当日などに、携帯電話２を介して、ナビゲーション装置３での目的地設定に利用し、現在地から目的地までの経路探索をする。このようにして、テレビ放送を見ていて行きたいと思ったところに、手軽に簡単に、車両に搭載したナビゲーション装置３を利用して旅行（ドライブ）することができる。
【００２９】
以下、地上波デジタル放送のデータを、ナビゲーション装置３における経路探索の目的地設定に利用するまでの処理について詳細に説明する。
【００３０】
（ＴＶ受信機の処理）
図６は、ＴＶ受信機１２における処理のフローチャートを示す図である。ＴＶ受信機１２の制御部５１は、ＴＶ受信機１２の電源がオンされると、不図示のメモリに格納された所定のプログラムを実行することにより図６の処理を行う。図６の処理の概要は、ユーザがＴＶ受信機１２においてデータ放送を視聴し、地上波デジタル放送で提供されるデータの保存を選択した場合に、選択したデータを携帯電話２あるいはホームサーバ１１へ転送する。
【００３１】
図６の処理の説明の前に、図７を使用して、番組連動型データ放送（以下、単にデータ放送と言う）の放送画面およびデータを説明する。図７（ａ）は、ＴＶ受信機１２のディスプレイ５３に表示されるデータ放送の放送画面の一例を示す図である。図７（ｂ）は、データ放送で提供されるデータを示す図である。図７（ｃ）は、データ放送のデータのインデックスデータを示す図である。図７（ｄ）は、データ放送のデータから生成したナビゲーション用データを示す図である。
【００３２】
図７の例は、「紀行番組」のテレビ放送でホテルが紹介され、そのホテルの所在地、電話番号等の情報がデータ放送で提供されている様子を示す。図７（ａ）において、ウィンドウ６１には、ＴＶ画面が表示され、現在放送中のテレビ放送の番組の画像が表示される。スピーカ５４を介して音声も流される。
【００３３】
このテレビ放送の番組の画像とは別に、「放送日時」「選局放送局名」「番組名」「番組概要」「番組紹介場所への案内地図」「紹介施設の写真」「施設正式名称」「施設の所在地、住所」「施設の連絡先：電話番号、ＦＡＸ番号、メールアドレス」「施設の営業時間、定休日」「施設サービス内容」などの情報が、データ放送で提供されるデータに基づいて表示される。データ放送で提供されるデータには、文字データのみならず静止画や動画の画像データも提供される。
【００３４】
図７（ｂ）は、図７（ａ）のデータ放送画面を提供するためのデータである。このデータは、例えばＢＭＬ（Broadcast Markup Language）構文で書かれている。このデータが、後述するように携帯電話２やホームサーバ１１に格納される。図７（ｂ）のデータには、施設の住所や名称や電話番号などが含まれ、施設に関する情報や地理的位置に関する情報が含まれる。施設が存在しない場合であっても、例えば観光地の所在地情報が含まれる。
【００３５】
次に、図６の処理について説明する。図６のステップＳ１では、リモコン５７により指定されたチャンネルのテレビ放送の番組を放送する。このとき、ユーザによりリモコン５７上のデータ放送表示のボタンを操作してデータ放送を表示させ、図７（ａ）で示したようなデータ放送画面を表示する。
【００３６】
ステップＳ２では、ユーザがリモコン５７を使用してデータ保存を選択したかどうかを判断する。ユーザは、データ放送を視聴しているときに、この放送画面の情報を保存したいと思ったときに、リモコン５７の所定のデータ保存ボタンを操作する。ステップＳ２で、ユーザがデータ保存を選択したと判断するとステップＳ３に進み、選択していないと判断するとステップＳ１に戻り処理を繰り返す。
【００３７】
ステップＳ３では、ＴＶ受信機１２のメモリ５８を検索する。メモリ５８は、不揮発性メモリであり、ユーザが保存を選択したデータが格納されている。ステップＳ４では、メモリ５８内の検索の結果に基づき、データ数が規定値以上かどうかを判断する。データ数が規定値以上と判断すると、ステップＳ５に進み、データ数が規定値以上でないと判断するとステップＳ８に進む。
【００３８】
ステップＳ５では、メモリ５８内の一番古いデータのインデックスを作成、インデックスとデータをホームサーバ１１に転送する。インデックスは、図７（ｃ）に示すように、保存したデータの番組が特定できるような情報である。例えば、図７（ｃ）では、放送年月日、放送局名、番組名などで構成されている。また、インデックスには、元データへのリンク先データも含まれる。
【００３９】
ステップＳ６では、ホームサーバ１１へのデータ転送が成功したかどうかを判断する。成功したと判断するとステップＳ７に進み、成功していないと判断するとステップＳ５の処理を繰り返す。ステップＳ７では、メモリ５８から一番古いデータを削除する。
【００４０】
ステップＳ８では、データ放送で受信したＢＭＬ書式のデータをワークメモリ（不図示）からメモリ５８にコピーする。ステップＳ９では、携帯電話２との通信が可能かどうかを判断する。ここでの携帯電話２との通信は、ＴＶ受信機１２の赤外線通信装置５６と携帯電話２の赤外線通信部２７との通信のことを言う。ステップＳ９で、携帯電話２との通信が可能と判断するとステップＳ１０に進み、可能でないと判断するとステップＳ１６に進む。携帯電話２との通信が不可の場合は、携帯電話２が物理的に赤外線通信ができない位置に置かれている場合や、携帯電話２から通信不可のレスポンスが返ってきた場合などである。
【００４１】
ステップＳ１０では、携帯電話２にメモリ５８に格納されたデータを送信する。ステップＳ１１では、データ通信が成功したかどうかを判断する。データ通信が成功したと判断するとステップＳ１２に進み、まだ成功していないと判断するとステップＳ１０に戻り処理を繰り返す。
【００４２】
ステップＳ１２では、メモリ５８のデータ通信予約リストを参照する。データ通信予約リストは、携帯電話２に送信すべきデータで、以前に携帯電話２に送信できなかったデータのリストである。送信すべきデータで、まだ送信していないデータを予約データと言う。データ通信予約リストは、後述するステップＳ１８において生成される。ステップＳ１３では、データ通信予約リストの参照の結果に基づき、予約データがあるかどうかを判断する。ステップＳ１３で、予約データがあると判断するとステップＳ１４に進み、予約データがないと判断すると処理を終了する。
【００４３】
ステップＳ１４では、予約済みデータを携帯電話２に送信する。ステップＳ１５では、データ通信が成功したかどうかを判断する。成功したと判断すると処理を終了し、まだ成功していないと判断するとステップＳ１４に戻り処理を繰り返す。
【００４４】
ステップＳ１６では、携帯電話２へ送信しようとしたデータのインデックスを作成、インデックスとデータをホームサーバ１１に送信する。インデックスは、ステップＳ５と同様に作成する。ステップＳ１７では、ホームサーバ１１へのデータ通信が成功したかどうかを判断する。成功したと判断するとステップＳ１８に進み、成功していないと判断するとステップＳ１６の処理を繰り返す。ステップＳ１８では、携帯電話２へのデータ通信予約リストを作成し、処理を終了する。
【００４５】
（携帯電話のＴＶ受信機に対する処理）
図８は、携帯電話２における処理のフローチャートを示す図である。図８の処理は、ＴＶ受信機１２から通信要求がきた場合の処理であり、ＪＡＶＡ（登録商標）などの言語でかかれたアプリケーションプログラムの１つである。制御部２１が実行する。
【００４６】
ステップＳ２１では、携帯電話２の電源がオンされ、携帯電話２が家庭内で通話されずに放置されている状態が保たれている。ステップＳ２２では、ＴＶ受信機１２から通信要求がきたかどうかを判断する。ここでの通信は、ＴＶ受信機１２の赤外線通信装置５６と携帯電話２の赤外線通信部２７との間の赤外線通信である。ステップＳ２２で、通信要求がきたと判断するとステップＳ２３に進み、通信要求がきていないと判断するとステップＳ２１に戻り処理を繰り返す。
【００４７】
ステップＳ２３では、携帯電話２の状況確認を実施する。状況確認とは、携帯電話２が通話中かどうか、データ格納部２２に空きがあるかどうかなどの確認を行う。ステップＳ２４では、ステップＳ２３の状況確認の結果に基づき、通信が可能かどうかを判断する。通信が可能であると判断するとステップＳ２５に進み、通信が可能でないと判断するとステップＳ２８に進む。ステップＳ２８では、通信不可のレスポンスを返して処理を終了する。
【００４８】
ステップＳ２５では、ＴＶ受信機１２と通信を開始し、送信されてくるデータをデータ格納部２２に格納する。ステップＳ２６では、データ通信が成功したかどうかを判断する。データ通信が成功したと判断するとステップＳ２７に進み、成功していないと判断するとステップＳ２５に戻りを処理を繰り返す。ステップＳ２７では、ＴＶ受信機１２との通信を切断して処理を終了する。
【００４９】
（ホームサーバのＴＶ受信機に対する処理）
図９は、ホームサーバ１１における処理のフローチャートを示す図である。図９の処理は、ＴＶ受信機１２からインデックスデータが送信されてきた場合の処理であり、ＣＰＵ４１が実行する。ユーザの選択により、本処理のプログラムが起動されている。
【００５０】
ステップＳ３１では、ホームネットワーク１の状態を監視する。ステップＳ３２では、ＴＶ受信機１２からインデックスデータが送信されてきたかどうかを判断する。インデックスデータが送信されてきたと判断するとステップＳ３３に進み、送信されてきていないと判断するとステップＳ３１に戻り処理を繰り返す。
【００５１】
ステップＳ３３では、既存のインデックスデータに新しいインデックスデータを追加する。ステップＳ３４では、インデックスデータに引き続きＢＭＬデータが送信されてきたかどうかを判断する。ＢＭＬデータが送信されてきたと判断するとステップＳ３５に進み、送信されてきていないと判断するとステップＳ３７に進む。
【００５２】
ステップＳ３５では、インデックスデータのリンク先として関連づけて、送信されてきたＢＭＬデータをハードディスク４２に保存する。すなわち、ハードディスク４２は、インデックスデータの全データと対応する全ＢＭＬデータをお互いに対応付けて格納する。ステップＳ３６では、ハードディスク４２へのデータ保存に成功したかどうかを判断する。成功したと判断すると処理を終了し、成功していないと判断するとステップＳ３７へ進む。
【００５３】
（ナビゲーション装置の処理）
図１０は、ナビゲーション装置３のディスプレイ３５に表示されるメニュー画面の遷移を示す図である。ナビゲーション装置３の入力装置３４のメニューボタンを押すと所定の初期メニュー画面１０１が表示される。初期メニュー画面１０１から「目的地設定」１０２を選択すると、種々の目的地設定方法のメニュー１０３が表示される。
【００５４】
本実施の形態では、「外部データ取り込み」１０４が選択される。「外部データ取り込み」１０４が選択されると、種々の外部データ取り込み方法のメニュー１０４が表示される。メニューとしては、「外部メディアから取り込み」１０６、「携帯電話から取り込み」１０７、「ホームサーバに接続」１０８、「インターネットに接続」１０９の例が示されている。このうちの「携帯電話から取り込み」１０７、および、「ホームサーバに接続」１０８について、以下説明をする。
【００５５】
図１１は、ナビゲーション装置３における処理のフローチャートを示す図である。ナビ制御装置３３が所定のプログラムを実行することにより処理される。図１１の処理は、ユーザが、入力装置３４を使用して図１０の「携帯電話から取り込み」１０７を選択した場合に起動される。図１１の処理は、携帯電話２に地上波デジタル放送で取得したデータが格納されている場合に、携帯電話２からそのデータを取り込む処理である。携帯電話２のデータ格納部２２には、図６および図８で説明した処理によりデータが格納されている。
【００５６】
ステップＳ４１では、ナビ制御装置３３は、携帯電話２にアクセスする。携帯電話２とナビゲーション装置３は、ナビ制御装置３の通信装置３７と携帯電話２の外部機器通信部２６と所定のケーブル（不図示）とを介して接続されている。ステップＳ４２では、携帯電話２と所定のプロトコルでやり取りをし、携帯電話２にデータがあるか否かを判断する。携帯電話２にデータがない場合は処理を終了し、データがある場合はステップＳ４３へ進む。
【００５７】
ステップＳ４３では、携帯電話２からデータを読み出してディスプレイ３５に表示する。ステップＳ４４では、ユーザに、表示したデータの中に必要なデータがあるか否かを判断させ、その結果を入力装置３４を介して入力させる。ステップＳ４４で、ユーザが必要なデータがあると判断するとステップＳ４５に進み、必要なデータがないと判断するとステップＳ４７に進む。
【００５８】
ステップＳ４５では、ユーザにそのデータを目的地設定に利用するか否かを判断させ、その結果を入力装置３４を介して入力させる。ステップＳ４５で、ユーザが利用すると判断するとステップＳ４６に進み、利用しないと判断すると処理を終了する。
【００５９】
ステップＳ４６では、データを目的地設定などに利用する。ナビ制御装置３３は、図７（ｂ）のデータから、図７（ｄ）のナビゲーション用のデータを生成する。図７（ｄ）の例では、地図上の位置を示す緯度経度データおよび施設名が生成されている。緯度経度データは、図７（ｂ）のデータの施設の住所、施設名、施設の電話番号などをキーにして、前述した検索データから取得することができる。ナビ制御装置３３は、このようにして求めた緯度経度データを目的地の位置として設定し、道路地図データの経路探索用データを使用して経路探索を実行する。
【００６０】
ステップＳ４７では、ユーザにホームサーバ１１を検索するか否かを判断させ、その結果を入力装置３４を介して入力させる。ステップＳ４７で、ユーザがホームサーバ１１を検索すると判断すると図１２のステップＳ５１に進み、利用しないと判断すると処理を終了する。
【００６１】
図１２は、ナビゲーション装置３における処理のフローチャートを示す図である。ナビ制御装置３３が所定のプログラムを実行することにより処理される。図１２の処理は、ユーザが、入力装置３４を使用して図１０の「ホームサーバに接続」１０８を選択した場合に起動される。また、図１１のステップＳ４７において、ユーザがホームサーバ１１を検索すると判断した場合に起動される。
【００６２】
図１２の処理は、携帯電話２に地上波デジタル放送で取得したデータが格納されていない場合に、携帯電話２からホームサーバ１１へ電話をかけ、ホームサーバ１１からデータを取り込む処理である。
【００６３】
ステップＳ５１では、ナビゲーション装置３から携帯電話２を利用してホームネットワーク１の固定電話１３に電話をかけ、ホームサーバ１１と接続する。固定電話１３の電話番号は、ナビゲーション装置３に格納されており、ナビ制御装置３３が携帯電話２にその電話番号に電話をかけるよう指示コマンドを送信する。
【００６４】
ステップＳ５２では、所定のプロトコルでやり取りをし、ホームサーバ１１がインデックスデータを保有しているかどうかを判断する。インデックスデータを保有していると判断するとステップＳ５３に進み、保有していないと判断するとステップＳ５８に進む。ステップＳ５８では、携帯電話２を介したホームサーバ１１との接続を切断し処理を終了する。
【００６５】
ステップＳ５３では、ホームサーバ１１からインデックスデータを取得し、ディスプレイ３５に表示する。インデックスデータが複数ある場合は、全インデックスデータを取得し一覧（リスト）表示される。ステップＳ５４では、ユーザにインデックスの一覧表示の中に必要なインデックス、すなわちＴＶ受信機１２で取得した必要なデータがあるか否かを判断させ、その結果を入力装置３４を介して入力させる。ステップＳ５４で、ユーザが必要なデータがあると判断するとそのインデックスを選択してステップＳ５５に進み、必要なデータがないと判断するとステップＳ５８に進む。
【００６６】
ステップＳ５５では、選択されたインデックスのインデックスデータをホームサーバ１１へ送信し、ホームサーバ１１からインデックスデータに対応する元データを取得し、ディスプレイ３５に表示する。ステップＳ５６では、ユーザにそのデータを利用するか否かを判断させ、その結果を入力装置３４を介して入力させる。ステップＳ５６で、ユーザがそのデータを利用すると判断するとステップＳ５７に進み、利用しないと判断するとステップＳ５８に進む。ステップＳ５７では、ステップＳ４６と同様に、データを目的地設定などに利用する。
【００６７】
（携帯電話のナビゲーション装置に対する処理）
図１３は、携帯電話２における処理のフローチャートを示す図である。図１３の処理は、ナビゲーション装置３からデータの送信要求がきた場合の処理であり、ＪＡＶＡ（登録商標）などの言語でかかれたアプリケーションプログラムの１つである。制御部２１が実行する。ここでの処理は、携帯電話２にＴＶ受信機１２で取得したデータが格納されていることを前提とするものである。
【００６８】
ステップＳ６１では、ナビゲーション装置３との接続状態を監視する。ナビゲーション装置３と携帯電話２とは、通信装置３７と外部機器通信部２６とを介して有線で接続されている。ステップＳ６２では、ナビゲーション装置３からデータ送信要求がきたかどうかを判断する。データ送信要求があったと判断するとステップＳ６３へ進み、データ送信要求がないと判断するとステップＳ６１に戻り処理を繰り返す。
【００６９】
ステップＳ６３では、データ格納部２２に格納されているデータ全体をナビゲーション装置３へ送信する。ステップＳ６４では、データ通信が成功したかどうかを判断する。データ通信が成功したと判断すると処理を終了し、成功していないと判断するとステップＳ６３に戻り処理を繰り返す。
【００７０】
（ホームサーバのナビゲーション装置に対する処理）
図１４は、ホームサーバ１１における処理のフローチャートを示す図である。図１１の処理は、ナビゲーション装置３からインデックスデータの送信要求があった場合の処理であり、ＣＰＵ４１が実行する。ユーザの選択により、本処理のプログラムが起動されている。
【００７１】
ステップＳ７１では、ホームネットワーク１の状態を監視する。ステップＳ７２では、ナビゲーション装置３から携帯電話２を介してインデックスデータの送信要求が送信されてきたかどうかを判断する。インデックスデータの送信要求が送信されてきたと判断するとステップＳ７３に進み、送信されてきていないと判断するとステップＳ７１に戻り処理を繰り返す。
【００７２】
ステップＳ７３では、ハードディスク４２に格納されているインデックスデータ全体を送信する。すなわち、複数のインデックスデータが格納されている場合はその複数のインデックスデータを送信する。ステップＳ７４では、インデックスデータの元データである詳細データの送信要求がきたかどうかを判断する。詳細データの送信要求がきたと判断するとステップＳ７５に進み、詳細データの送信要求がこなかったと判断すると処理を終了する。
【００７３】
ステップＳ７５では、送信要求されたインデックスデータに関連付けした詳細データを送信する。ステップＳ７６では、ナビゲーション装置３からデータ保存に成功した旨のレスポンスを受け取ったか否かを判断する。データ保存に成功したレスポンスを受け取ったと判断すると処理を終了し、受け取っていないと判断するとステップＳ７５に戻り処理を繰り返す。
【００７４】
以上説明した本実施の形態のナビゲーションシステムは、次のようなすぐれた効果を奏する。
（１）ＴＶ受信機１２では、データ放送を視聴中にユーザがデータ保存を選択した場合、選択したデータをいったんＴＶ受信機１２のメモリ５８へ保存し、その後携帯電話２へ転送する。ナビゲーション装置３は、携帯電話２に格納されたデータ放送のデータを取得し、経路探索などの目的地設定に利用する。これにより、データ放送のデータを携帯電話２を介してナビゲーション装置３への受け渡しが可能となる。その結果、取り扱いに不便なメモリカードを利用する必要がなく、データを保存するたびにインターネットに接続しなければいけないという煩わしい操作も不要となる。すなわち、デジタルテレビ放送から取得した施設や地理的位置に関するデータを、携帯電話を介して容易にナビゲーション装置に提供することができる。
【００７５】
（２）テレビのデータ放送のデータをナビゲーション処理に利用するので、テレビ放送を見ていて行きたいと思ったところに、手軽に簡単に、車両に搭載したナビゲーション装置３を利用して旅行（ドライブ）することができる。すなわち、テレビを見ていて、メモを取ったり、ナビゲーション装置３でそのメモを見て入力装置３４によって入力するという煩わしい操作が不要となる。
【００７６】
（３）データ放送のデータを携帯電話２へ格納できない場合には、ホームサーバ１１に格納するようにした。これにより、携帯電話２が使用可能になったときに、いつでも過去に保存したデータを利用できる。また、データの数や容量も制限なく格納できる。
【００７７】
（４）インデックスを利用するようにしたので、複数あるデータを容易に一覧することができる。この場合、インデックスデータのやりとりで所望の元データの決定までを行うので、通信コストやメモリ容量が低減できる。
【００７８】
（５）携帯電話２へのデータ転送ができなかった場合に、データ通信予約リストを生成するので、後に確実に携帯電話２へデータを送信することができる。
【００７９】
（６）ＴＶ受信機１２は、自己のメモリ５８内あるいはホームネットワーク１上のホームサーバ１１へデータ放送のデータを格納するので、容易かつ迅速にデータを格納することができる。また、インターネット上に格納装置を設ける必要もなく、データ保存のたびにインターネットに接続する必要もない。ＴＶ受信機１２にとってホームネットワーク１上のホームサーバ１１は同一建物内にあるデータ格納装置といえる。
【００８０】
（１）上記の実施の形態では、ＴＶ受信機１２のメモリ５８内において、データ数が規定値以上の場合に、ホームサーバ１１にデータを送信する例を説明した。また、携帯電話２と通信が不可能な場合にホームサーバ１１にデータを送信する例を説明した。しかし、必ずしもこれらの内容に限定する必要はない。ＴＶ受信機１２で取得したデータを、常にホームサーバ１１に送信するようにしてもよい。このとき、インデックスデータも作成して送信する。ホームサーバ１１では、このようにして受信したデータは、ハードディスク４２に格納する。
【００８１】
（２）上記の実施の形態では、携帯電話２はＴＶ受信機１２のメモリ５８に格納されているデータを取得する例を説明したが、必ずしもこの内容に限定する必要はない。上記のように、ホームサーバ１１に常にデータを送信する場合は、携帯電話２はホームサーバ１１のハードディスク４２からデータを取得するようにしてもよい。
【００８２】
（３）上記の実施の形態では、ホームサーバ１１とＴＶ受信機１２はホームネットワーク１を介して接続する例を説明したが、必ずしもこの内容に限定する必要はない。ホームサーバ１１とＴＶ受信機１２を、直接の専用ラインで接続するようにしてもよい。
【００８３】
（４）上記の実施の形態では、インデックスの一覧をナビゲーション装置３において表示する例を説明したが、必ずしもこの内容に限定する必要はない。インデックスの一覧を携帯電話２の表示部２３に表示するようにしてもよい。この場合、ユーザは、携帯電話２の入力部２４を使用して、一覧表示から所望のインデックス選択する。所望のインデックスが選択されると、携帯電話２はプログラムにより固定電話１３に電話をし、選択されたインデックスデータをホームサーバ１１へ送信する。その後、携帯電話２は、ホームサーバ１１から送信されてくる対応するＴＶ受信機１２で取得したデータを受信する。そして、そのデータをナビゲーション装置３へ送信するようにすればよい。
【００８４】
（５）上記の実施の形態では、インデックスの一覧を「ホームサーバに接続」メニューを選択することにより取得する例を説明したが、必ずしもこの内容に限定する必要はない。一発ボタン（スイッチ）でインデックスの一覧を取得するようにしてもよい。この一発ボタンは、ナビゲーション装置３の入力装置３４の所定のボタンを割り当てればよい。このようなボタンを設けることにより、どのようなデータを取得したか忘れたような場合に、ユーザはとにかくこのボタンを操作すればよい。これにより、簡単にインデックスの一覧を取得することができるようになる。これは、携帯電話２でインデックスの一覧を表示する場合も同じである。携帯電話２の所定のキーを一発ボタンに割り当てればよい。
【００８５】
（６）上記の実施の形態では、携帯電話２と通信が不可能な場合等にインデックスデータを作成してホームサーバ１１にデータを送信する例を説明した。しかし、必ずしもこれらの内容に限定する必要はない。上述したように、常に、インデックスデータを生成し、元データと生成したインデックスデータをホームサーバ１１に送信し、そして、インデックスデータのみを携帯電話２へ送信するようにしてもよい。これにより、最初はインデックスデータのみのやり取りで済み、その後選択されたインデックスに対応する１つの元データのみを送信するようにすればよい。その結果、通信コストが低減でき、携帯電話２やナビゲーション装置３のメモリ容量を削減することができる。また、ＴＶ受信機１２からその都度データをホームサーバ１１へ送信するようにすれば、ＴＶ受信機１２のメモリ容量も削減できる。
【００８６】
（７）上記の実施の形態では、携帯電話２は赤外線通信部２７を有し、赤外線通信を行う例を説明したが、必ずしもこの内容に限定する必要はない。Bluetooth（登録商標）などの、近距離無線通信であってもよい。
【００８７】
（８）上記の実施の形態では、データ放送のデータ書式はＢＭＬ書式の例を説明したが、必ずしもこの内容に限定する必要はない。Ｈｔｍｌ書式や他の書式であってもよい。
【００８８】
（９）上記の実施の形態では、地上波デジタル放送の例を説明したが、必ずしもこの内容に限定する必要はない。ＢＳデジタル放送であってもよい。また、他の規格によるデジタル放送であってもよい。すなわち、上述したデータ放送のような放送がなされる放送であればどのようなものでもよい。
【００８９】
（１０）上記の実施の形態では、携帯電話２はＴＶ受信機１２との間で赤外線通信を行う例を説明したが、必ずしもこの内容に限定する必要はない。携帯電話２は、ホームネットワーク１を介して、他の装置の赤外線通信部と通信するようにしてもよい。また、ホームサーバ１１に格納されたデータを、ホームサーバ１１の赤外線通信装置４６や他の装置の赤外線通信部を介して取得するようにしてもよい。このようにすれば、通信コストがかからず、いつでもどこでもデータを取得することができる。携帯電話２をＴＶ受信機１２のある部屋においておく必要もない。
【００９０】
（１１）上記の実施の形態では、ＴＶ受信機１２においてデータ保存が選択されることがトリガになって携帯電話２へデータの送信を行う例を説明したが、必ずしもこの内容に限定する必要はない。携帯電話２から送信要求を出してデータを受け取るようにしてもよい。例えば、データ放送のデータがＴＶ受信機１２かホームサーバ１１に格納されているとする。携帯電話２において所定のデータ要求ボタンを押すと、携帯電話２がＴＶ受信機１２かホームサーバ１１と赤外線通信を開始し、所定のプロトコルで携帯電話２へデータをダウンロードする。これにより、常に携帯電話２の電源をオンしておいたり、通信が可能な場所においておく必要がなくなる。
【００９１】
（１２）上記の場合も、ホームネットワーク１に接続される他の装置からもアクセスできるようにしておけば、いつでもどこでも携帯電話２へデータをダウンロードすることができる。例えば、外出時にデータを携帯電話２へ取り込んでいないことを思い出したとき、わざわざ部屋にまで戻る必要がなく、例えばインターホン１４を介してデータを取得することができる。この場合、インターホン１４の前で、携帯電話２のデータ要求ボタンを押せばよい。
【００９２】
（１３）上記の実施の形態では、ナビゲーション装置３や携帯電話２やホームサーバ１１やＴＶ受信機１２などが実行するプログラムは、すでに各装置に格納されている例で説明をしたが、この内容に限定する必要はない。それらのプログラムを、ＣＤ−ＲＯＭやメモリカードやメモリスティックなどの種々の記録媒体で提供してもよい。また、それらのプログラムをインターネットなどに代表される通信回線などの伝送媒体を介して提供することも可能である。
【００９３】
（１４）ナビゲーション装置３の場合、パーソナルコンピュータ上で所定のプログラムを実行させてナビゲーション装置を実現するようにしてもよい。
【００９４】
上記では、種々の実施の形態および変形例を説明したが、本発明はこれらの内容に限定されるものではない。本発明の技術的思想の範囲内で考えられるその他の態様も本発明の範囲内に含まれる。
【００９５】
以下、請求項の主な構成要素と上記実施の形態の構成要素との対応付けについて説明する。本発明のテレビ放送受信手段はＴＶ受信機１２に対応し、データ格納手段はＴＶ受信機１２のメモリ５８あるいはホームサーバ１１ハードディスク４２に対応し、携帯電話は携帯電話２に対応し、ナビゲーション装置はナビゲーション装置３に対応し、第１の通信手段は携帯電話２の基地局通信部２５に対応し、第２の通信手段は携帯電話２の外部機器通信部２６に対応し、携帯電話内データ格納手段は携帯電話２のデータ格納部２２に対応し、ローカルなネットワーク手段はホームネットワーク１に対応し、他の電子装置手段はインターホン１４あるいは家庭内電子装置１５に対応し、第３の通信手段はホームサーバ１１の赤外線通信装置４６あるいはＴＶ受信機１２の赤外線通信装置５６に対応する。なお、この対応付けの説明はあくまで一例であり、本発明はこの対応付けに限定して解釈されるものではない。
【図面の簡単な説明】
【００９６】
【図１】本実施の形態のナビゲーションシステムの構成を示す図である。
【図２】本実施の形態のナビゲーション装置の構成を示す図である。
【図３】本実施の形態の携帯電話の構成を示す図である。
【図４】ホームネットワークのホームサーバの構成を示す図である。
【図５】ホームネットワークのＴＶ受信機の構成を示す図である。
【図６】ＴＶ受信機における処理のフローチャートを示す図である。
【図７】番組連動型データ放送の放送画面およびデータを説明する図である。
【図８】携帯電話における処理のフローチャートを示す図である。
【図９】ホームサーバにおける処理のフローチャートを示す図である。
【図１０】ナビゲーション装置のディスプレイに表示されるメニュー画面の遷移を示す図である。
【図１１】ナビゲーション装置における処理のフローチャートを示す図である。
【図１２】ナビゲーション装置における処理のフローチャートを示す図である。
【図１３】携帯電話２における処理のフローチャートを示す図である。
【図１４】ホームサーバにおける処理のフローチャートを示す図である。
【符号の説明】
【００９７】
１  ホームネットワーク
２  携帯電話
３  ナビゲーション装置
１１  ホームサーバ
１２  ＴＶ受信機
１３  固定電話
１４  インターホン
１５  各種家庭内電子装置
【図１】
2006153731.tif 000003
【図２】
2006153731.tif 000004
【図３】
2006153731.tif 000005
【図４】
2006153731.tif 000006
【図５】
2006153731.tif 000007
【図６】
2006153731.tif 000008
【図７】
2006153731.tif 000009
【図８】
2006153731.tif 000010
【図９】
2006153731.tif 000011
【図１０】
2006153731.tif 000012
【図１１】
2006153731.tif 000013
【図１２】
2006153731.tif 000014
【図１３】
2006153731.tif 000015
【図１４】
2006153731.tif 000016